【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
個人を識別するために用いる識別情報に対応した複数の識別情報図形、および、前記識別情報図形の配置の基準となる基準図形を含む入力インタフェースを表示する表示部と、
前記入力インタフェースに対するユーザの操作に従って、ユーザによる操作の対象とされた前記識別情報図形を非表示とする表示制御、および、前記識別情報図形の前記基準図形に対する表示位置を変更させる表示制御のいずれかを行う表示制御手段と、
前記入力インタフェースに対するユーザの操作に従って、複数の前記識別情報の中から、認証処理に用いる識別情報を特定する識別情報特定部と
を備える情報処理装置。
【請求項２】
複数の前記識別情報図形は、前記基準図形の内側に配置されており、
前記表示制御手段は、ユーザによる操作の対象とされた前記識別情報図形を、前記基準図形の外側に移動させ、前記表示部の画面外にまで移動させることにより非表示とする
請求項１に記載の情報処理装置。
【請求項３】
複数の前記識別情報図形は、前記基準図形の外側に配置されており、
前記表示制御手段は、ユーザによる操作の対象とされた前記識別情報図形を、前記基準図形の内側に移動させる
請求項１または２に記載の情報処理装置。
【請求項４】
前記入力インタフェースに対するユーザの操作に従って、前記基準図形を回転させる操作に応じた回転方向および回転角度を特定する回転操作特定部をさらに備える
請求項１乃至３に記載の情報処理装置。
【請求項５】
前記識別情報特定部により特定された識別情報、および、前記回転操作特定部により特定された回転方向および回転角度から認証処理に必要な認証値を決定する認証値決定部をさらに備える
請求項４に記載の情報処理装置。
【請求項６】
前記認証値決定部により決定された前記認証値を用いた認証処理を行う認証処理部をさらに備える
請求項５に記載の情報処理装置。
【請求項７】
ユーザによる操作の対象とする前記識別情報図形の順番が予め設定されており、
前記認証処理部は、ユーザにより操作の対象とされた前記識別情報図形の順番を認証処理に使用する
請求項６に記載の情報処理装置。
【請求項８】
ユーザが前記基準図形を回転させる操作を行う際に指定される特定の前記識別情報図形が予め設定されており、
前記認証処理部は、特定の前記識別情報図形が指定されて前記基準図形を回転させる操作が行われたか否かにも基づいて認証処理を行う
請求項６または７に記載の情報処理装置。
【請求項９】
個人を識別するために用いる識別情報に対応した複数の識別情報図形、および、前記識別情報図形の配置の基準となる基準図形を含む入力インタフェースを表示し、
前記入力インタフェースに対するユーザの操作に従って、ユーザによる操作の対象とされた前記識別情報図形を非表示とする表示制御、および、前記識別情報図形の前記基準図形に対する表示位置を変更させる表示制御のいずれかを行い、
前記入力インタフェースに対するユーザの操作に従って、複数の前記識別情報の中から、認証処理に用いる識別情報を特定する
ステップを含む情報処理方法。
【請求項１０】
個人を識別するために用いる識別情報に対応した複数の識別情報図形、および、前記識別情報図形の配置の基準となる基準図形を含む入力インタフェースを表示し、
前記入力インタフェースに対するユーザの操作に従って、ユーザによる操作の対象とされた前記識別情報図形を非表示とする表示制御、および、前記識別情報図形の前記基準図形に対する表示位置を変更させる表示制御のいずれかを行い、
前記入力インタフェースに対するユーザの操作に従って、複数の前記識別情報の中から、認証処理に用いる識別情報を特定する
ステップを含む情報処理をコンピュータに実行させるプログラム。
【手続補正２】
【補正対象書類名】明細書
【補正対象項目名】００１０
【補正方法】変更
【補正の内容】
【００１０】
本開示の一側面の情報処理装置は、個人を識別するために用いる識別情報に対応した複数の識別情報図形、および、前記識別情報図形の配置の基準となる基準図形を含む入力インタフェースを表示する表示部と、前記入力インタフェースに対するユーザの操作に従って、ユーザによる操作の対象とされた前記識別情報図形を非表示とする表示制御、および、前記識別情報図形の前記基準図形に対する表示位置を変更させる表示制御のいずれかを行う表示制御手段と、前記入力インタフェースに対するユーザの操作に従って、複数の前記識別情報の中から、認証処理に用いる識別情報を特定する識別情報特定部とを備える。
【手続補正３】
【補正対象書類名】明細書
【補正対象項目名】００１１
【補正方法】変更
【補正の内容】
【００１１】
本開示の一側面の情報処理方法またはプログラムは、個人を識別するために用いる識別情報に対応した複数の識別情報図形、および、前記識別情報図形の配置の基準となる基準図形を含む入力インタフェースを表示し、前記入力インタフェースに対するユーザの操作に従って、ユーザによる操作の対象とされた前記識別情報図形を非表示とする表示制御、および、前記識別情報図形の前記基準図形に対する表示位置を変更させる表示制御のいずれかを行い、前記入力インタフェースに対するユーザの操作に従って、複数の前記識別情報の中から、認証処理に用いる識別情報を特定するステップを含む。
【手続補正４】
【補正対象書類名】明細書
【補正対象項目名】００１２
【補正方法】変更
【補正の内容】
【００１２】
本開示の一側面においては、個人を識別するために用いる識別情報に対応した複数の識別情報図形、および、識別情報図形の配置の基準となる基準図形を含む入力インタフェースが表示され、その入力インタフェースに対するユーザの操作に従って、ユーザによる操作の対象とされた識別情報図形を非表示とする表示制御、および、識別情報図形の基準図形に対する表示位置が変更させる表示制御のいずれかが行われる。そして、入力インタフェースに対するユーザの操作に従って、複数の識別情報の中から、認証処理に用いる識別情報が特定される。
【手続補正５】
【補正対象書類名】明細書
【補正対象項目名】００３６
【補正方法】変更
【補正の内容】
【００３６】
つまり、認証値を設定する際にユーザが指定したPINが、３，６，８，１１，１３，１５、および１６である場合、ユーザは、PIN図形４２１、PIN図形４２２、PIN図形４２４、PIN図形４２５、PIN図形４２７、PIN図形４２９、PIN図形４２１０、PIN図形４２１２、およびPIN図形４２１４をタップして、それらを非表示とする。ここで、ユーザによりタップされたPIN図形４２を非表示とする際、単純に非表示とする他、表示制御部１３は、例えば、基準図形４１の外側にPIN図形４２が移動して認証画面３１の外に消えていくようなアニメーション表示を行ってもよい。
【手続補正６】
【補正対象書類名】明細書
【補正対象項目名】０１０１
【補正方法】変更
【補正の内容】
【０１０１】
なお、本技術は以下のような構成も取ることができる。
（１）
個人を識別するために用いる識別情報に対応した複数の識別情報図形、および、前記識別情報図形の配置の基準となる基準図形を含む入力インタフェースを表示する表示部と、
前記入力インタフェースに対するユーザの操作に従って、ユーザによる操作の対象とされた前記識別情報図形を非表示とし、または、前記識別情報図形の前記基準図形に対する表示位置を変更させる表示制御手段と、
前記入力インタフェースに対するユーザの操作に従って、複数の前記識別情報の中から、認証処理に用いる識別情報を特定する識別情報特定部と
を備える情報処理装置。
（２）
複数の前記識別情報図形は、前記基準図形の内側に配置されており、
前記表示制御手段は、ユーザによる操作の対象とされた前記識別情報図形を、前記基準図形の外側に移動させ、前記表示部の画面外にまで移動させることにより非表示とする
上記（１）に記載の情報処理装置。
（３）
複数の前記識別情報図形は、前記基準図形の外側に配置されており、
前記表示制御手段は、ユーザによる操作の対象とされた前記識別情報図形を、前記基準図形の内側に移動させる
上記（１）または（２）に記載の情報処理装置。
（４）
前記入力インタフェースに対するユーザの操作に従って、前記基準図形を回転させる操作に応じた回転方向および回転角度を特定する回転操作特定部をさらに備える
上記（１）から（３）までのいずれかに記載の情報処理装置。
（５）
前記識別情報特定部により特定された識別情報、および、前記回転操作特定部により特定された回転方向および回転角度から認証処理に必要な認証値を決定する認証値決定部をさらに備える
上記（４）に記載の情報処理装置。
（６）
前記認証値決定部により決定された前記認証値を用いた認証処理を行う認証処理部をさらに備える
上記（５）に記載の情報処理装置。
（７）
ユーザによる操作の対象とする前記識別情報図形の順番が予め設定されており、
前記認証処理部は、ユーザにより操作の対象とされた前記識別情報図形の順番を認証処理に使用する
上記（６）に記載の情報処理装置。
（８）
ユーザが前記基準図形を回転させる操作を行う際に指定される特定の前記識別情報図形が予め設定されており、
前記認証処理部は、特定の前記識別情報図形が指定されて前記基準図形を回転させる操作が行われたか否かにも基づいて認証処理を行う
上記（６）または（７）に記載の情報処理装置。